(57)【要約】【課題】異なる無線アクセス技術を使用する複数のネットワークが併存する移動通信システムにおいて、移動局が効果的に各ネットワークに接続することを可能にすること。【解決手段】本発明の一特徴は、相異なる無線アクセス技術を使用する第１ネットワークと第２ネットワークと通信可能な移動局であって、前記第１ネットワークから前記第２ネットワークの報知情報を受信する受信部と、前記受信した第２ネットワークの報知情報を格納する格納部と、前記第２ネットワークの報知情報が前記格納部に格納されると、無線接続要求メッセージに含まれるプリ・リダイレクション情報を所定値に設定するプリ・リダイレクション情報設定部とを有する移動局に関する。【選択図】図２
2011238988.tif 000002
【特許請求の範囲】
【請求項１】
相異なる無線アクセス技術を使用する第１ネットワークと第２ネットワークと通信可能な移動局であって、
前記第１ネットワークから前記第２ネットワークの報知情報を受信する受信部と、
前記受信した第２ネットワークの報知情報を格納する格納部と、
前記第２ネットワークの報知情報が前記格納部に格納されると、無線接続要求メッセージに含まれるプリ・リダイレクション情報を所定値に設定するプリ・リダイレクション情報設定部と、
を有する移動局。
【請求項２】
前記第２ネットワークに無線接続要求メッセージを送信する送信部をさらに有し、
前記送信部は、前記プリ・リダイレクション情報が所定値に設定されている場合、前記プリ・リダイレクション情報を所定値に設定した前記無線接続要求メッセージを前記第２ネットワークに送信する、請求項１記載の移動局。
【請求項３】
前記無線接続要求メッセージは、ＲＲＣ  ＣＯＮＮＥＣＴＩＯＮ  ＲＥＱＵＥＳＴであり、
前記プリ・リダイレクション情報は、ｐｒｅ−ｒｅｄｉｒｅｃｔｉｏｎ  ｉｎｆｏであり、
前記所定値は、Ｆａｌｓｅである、請求項２記載の移動局。
【請求項４】
近隣セルの無線状態を測定する測定部をさらに有し、
前記受信部が前記第２ネットワークから測定要求メッセージを受信すると、前記測定部は、前記２ネットワークにおける当該移動局の保持する近隣セル情報を更新し近隣セルの無線状態を測定する、請求項１記載の移動局。
【請求項５】
相異なる無線アクセス技術を使用する第１ネットワークと第２ネットワークと通信可能な移動局であって、
前記第１ネットワークから前記第２ネットワークへのリダイレクト指示を受信する受信部と、
前記第２ネットワークへのリダイレクト指示の受信に応答して、無線接続要求に含まれるプリ・リダイレクション情報を所定値に設定するプリ・リダイレクション情報設定部と、
を有する移動局。
【請求項６】
前記第２ネットワークに無線接続要求を送信する送信部をさらに有し、
前記送信部は、前記プリ・リダイレクション情報が所定値に設定されている場合、前記プリ・リダイレクション情報を所定値に設定した前記無線接続要求を前記第２ネットワークに送信する、請求項５記載の移動局。
【請求項７】
前記無線接続要求メッセージは、ＲＲＣ  ＣＯＮＮＥＣＴＩＯＮ  ＲＥＱＵＥＳＴであり、
前記プリ・リダイレクション情報は、ｐｒｅ−ｒｅｄｉｒｅｃｔｉｏｎ  ｉｎｆｏであり、
前記所定値は、Ｆａｌｓｅである、請求項６記載の移動局。
【請求項８】
相異なる無線アクセス技術を使用する第１ネットワークと第２ネットワークと通信可能な移動局と前記第２ネットワークとの無線接続を制御する無線制御装置であって、
前記移動局から前記第２ネットワークに無線接続するための無線接続要求メッセージを受信する受信部と、
前記受信した無線接続要求メッセージのプリ・リダイレクション情報が所定値に設定されているか判断するプリ・リダイレクション情報判定部と、
前記移動局と前記第２ネットワークとの無線接続が確立できない場合、前記プリ・リダイレクション情報が所定値に設定されているか否かに基づき、前記第１ネットワークへのリダイレクト指示を含む無線接続拒否メッセージを送信する無線制御判定部と、
を有する無線制御装置。
【請求項９】
前記無線制御判定部は、前記プリ・リダイレクション情報が所定値に設定されている場合、前記第１ネットワークへのリダイレクト指示を含まない無線接続拒否メッセージを送信する、請求項８記載の無線制御装置。
【請求項１０】
前記無線接続要求メッセージは、ＲＲＣ  ＣＯＮＮＥＣＴＩＯＮ  ＲＥＱＵＥＳＴであり、
前記無線接続拒否メッセージは、ＲＲＣ  ＣＯＮＮＥＣＴＩＯＮ  ＲＥＪＥＣＴであり、
前記プリ・リダイレクション情報は、ｐｒｅ−ｒｅｄｉｒｅｃｔｉｏｎ  ｉｎｆｏであり、
前記所定値は、Ｆａｌｓｅである、請求項９記載の無線制御装置。
【請求項１１】
相異なる無線アクセス技術を使用する第１ネットワークと第２ネットワークと通信可能な移動局と前記第２ネットワークとの無線接続を制御する無線制御装置であって、
前記移動局から前記第２ネットワークに無線接続するための無線接続要求メッセージを受信する受信部と、
前記受信した無線接続要求メッセージのプリ・リダイレクション情報が所定値に設定されているか判断するプリ・リダイレクション情報判定部と、
前記プリ・リダイレクション情報が所定値に設定されている場合、個別チャネルが割り当てられた接続モードに設定して前記移動局と前記第２ネットワークとの無線接続を確立する無線制御判定部と、
を有する無線制御装置。
【請求項１２】
前記無線接続要求メッセージは、ＲＲＣ  ＣＯＮＮＥＣＴＩＯＮ  ＲＥＱＵＥＳＴであり、
前記個別チャネルが割り当てられた接続モードは、Ｃｅｌｌ＿ＤＣＨであり、
前記プリ・リダイレクション情報は、ｐｒｅ−ｒｅｄｉｒｅｃｔｉｏｎ  ｉｎｆｏであり、
前記所定値は、Ｆａｌｓｅである、請求項１１記載の無線制御装置。
【請求項１３】
相異なる無線アクセス技術を使用する第１ネットワークと第２ネットワークと通信可能な移動局と前記第２ネットワークとの無線接続を制御する無線制御装置であって、
前記移動局から前記第２ネットワークに無線接続するための無線接続要求メッセージを受信する受信部と、
前記受信した無線接続要求メッセージのプリ・リダイレクション情報が所定値に設定されているか判断するプリ・リダイレクション情報判定部と、
前記プリ・リダイレクション情報が所定値に設定されている場合、前記移動局に前記第２ネットワークにおける前記移動局の近隣セルの更新と近隣セルの無線状態を測定させる測定要求メッセージを送信する無線制御判定部と、
を有する無線制御装置。
【請求項１４】
前記無線接続要求メッセージは、ＲＲＣ  ＣＯＮＮＥＣＴＩＯＮ  ＲＥＱＵＥＳＴであり、
前記測定要求メッセージは、Ｍｅａｓｕｒｅｍｅｎｔ  Ｃｏｎｔｒｏｌであり、
前記プリ・リダイレクション情報は、ｐｒｅ−ｒｅｄｉｒｅｃｔｉｏｎ  ｉｎｆｏであり、
前記所定値は、Ｆａｌｓｅである、請求項１３記載の無線制御装置。
【発明の詳細な説明】
【技術分野】
【０００１】
本発明は、移動通信システムに関し、より詳細には、異なる無線アクセス技術を使用する複数のネットワークを介した無線通信を提供する移動通信システムに関する。
【背景技術】
【０００２】
近年、様々な無線アクセス技術（Ｒａｄｉｏ  Ａｃｃｅｓｓ  Ｔｅｃｈｎｏｌｏｇｙ）が開発され、新たに開発された無線アクセス技術（ＲＡＴ）による無線通信サービスが導入されてきている。新たな無線アクセス技術による無線通信サービスが導入される際には、既存の無線アクセス技術による無線通信サービスと新たな無線アクセス技術による無線通信サービスとが併存することになる。例えば、無線アクセス技術としてＵＴＲＡ（ＵＭＴＳ  Ｔｅｒｒｅｓｔｒｉａｌ  Ｒａｄｉｏ  Ａｃｃｅｓｓ）とＵＴＲＡを進化させたＥＵＴＲＡ（Ｅｖｏｌｖｅｄ  ＵＴＲＡ）とがあり、ＵＴＲＡネットワークとＥＵＴＲＡネットワークとを有した移動通信システムが考えられている。
【０００３】
このように異なる無線アクセス技術に従う２つのネットワークが移動通信システムにおいて利用される場合、移動局又はユーザ装置（ＵＥ）は、典型的には双方のネットワークと通信可能となるよう構成され、これらネットワークを選択的に利用することが可能である。このため、移動局が異なる無線アクセス技術に準拠したネットワークの間を移行するための各種リダイレクト手順が規定されている。
【０００４】
例えば、ＵＴＲＡネットワークとＥＵＴＲＡネットワークとを有した移動通信システムでは、これらのネットワークは相互接続され、報知情報などの各種情報をやりとりしている。または、運用管理にて相互の情報をやりとりすることが出来る。これにより、各ネットワークは、接続中の移動局に相手側ネットワークに関する情報を提供することができる。例えば、ＥＵＴＲＡネットワークと通信している移動局は、ＥＵＴＲＡネットワークを介しＵＴＲＡネットワーク側の報知情報を取得し、ＵＴＲＡネットワークへのリダイレクト時に、取得したＵＴＲＡネットワーク側の報知情報を利用することができる。
【０００５】
しかしながら、現在の３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の標準仕様によると、ＥＵＴＲＡネットワークでＵＴＲＡネットワークの報知情報を通知された状態でＥＵＴＲＡネットワークからＵＴＲＡネットワークにリダイレクトされた場合、移動局が必要な情報を持ち合わせていないため、ＵＴＲＡネットワークは、無線接続（ＲＲＣ  ＣＯＮＮＥＣＴＩＯＮ）設定時に移動局の接続モードを、Ｃｅｌｌ＿ＦＡＣＨに指定することができない。
【０００６】
また、ＥＵＴＲＡネットワークから移動局に提供されるＵＴＲＡ側報知情報は、しばしば不完全な近隣セル情報しか有していない。これは、ＥＵＴＲＡネットワークは無線リソースの節約のため、ＵＴＲＡネットワークから取得したＵＴＲＡ側報知情報のすべてを移動局に提供せず、その一部しか提供しないためである。従って、移動局が不完全なＵＴＲＡ側報知情報を利用することによって、確立された無線接続を維持できないおそれもある。
【０００７】
さらに、現在規定されているリダイレクト手順によると、ＥＵＴＲＡネットワークに接続している移動局が何らかの理由によりＵＴＲＡネットワークにリダイレクトするよう指示され、ＵＴＲＡネットワークに無線接続要求メッセージを送信した場合、ＵＴＲＡネットワークは、当該移動局がＥＵＴＲＡネットワークからリダイレクトするよう指示されたことによって無線接続を要求したのか、又はそのようなリダイレクト指示によることなく当初からＵＴＲＡネットワークに無線接続することを要求しているのか区別することができない。このため、何らかの理由によりＵＴＲＡネットワークが移動局の接続を拒否する場合、ＵＴＲＡネットワークは、移動局に送信される無線接続拒否メッセージにおいて、移動局にＥＵＴＲＡネットワークへのリダイレクトを指示してしまう可能性もある。
【０００８】
他方、これらの問題は、移動局が無線接続を要求する際、従来の無線接続要求メッセージ（ＲＲＣ  ＣＯＮＮＥＣＴＩＯＮ  ＲＥＱＵＥＳＴ）に新たな情報要素（ＩＥ）を設け、この情報要素を用いて必要な情報を接続先ネットワークに通知することによって解決することも可能である。しかしながら、現在の規格に従って新たな情報要素を設けることなく、上記問題を解決することが望まれる。
【発明の概要】
【発明が解決しようとする課題】
【０００９】
従って、本発明は、上述した問題点を解決することを目的とする。本発明の一課題は、異なる無線アクセス技術を使用する複数のネットワークが併存する移動通信システムにおいて、移動局が効果的に各ネットワークに接続することを可能にすることである。
【課題を解決するための手段】
【００１０】
本発明の一特徴は、相異なる無線アクセス技術を使用する第１ネットワークと第２ネットワークと通信可能な移動局であって、前記第１ネットワークから前記第２ネットワークの報知情報を受信する受信部と、前記受信した第２ネットワークの報知情報を格納する格納部と、前記第２ネットワークの報知情報が前記格納部に格納されると、無線接続要求メッセージに含まれるプリ・リダイレクション情報を所定値に設定するプリ・リダイレクション情報設定部とを有する移動局に関する。
【００１１】
また、本発明の他の特徴は、相異なる無線アクセス技術を使用する第１ネットワークと第２ネットワークと通信可能な移動局と前記第２ネットワークとの無線接続を制御する無線制御装置であって、前記移動局から前記第２ネットワークに無線接続するための無線接続要求メッセージを受信する受信部と、前記受信した無線接続要求メッセージのプリ・リダイレクション情報が所定値に設定されているか判断するプリ・リダイレクション情報判定部と、前記移動局と前記第２ネットワークとの無線接続が確立できない場合、前記プリ・リダイレクション情報が所定値に設定されているか否かに基づき、前記第１ネットワークへのリダイレクト指示を含む無線接続拒否メッセージを送信する無線制御判定部とを有する無線制御装置に関する。
【発明の効果】
【００１２】
本発明によると、異なる無線アクセス技術を使用する複数のネットワークが併存する移動通信システムにおいて、移動局が効果的に各ネットワークに接続することが可能となる。
【図面の簡単な説明】
【００１３】
【図１】図１は、本発明の一実施例による移動通信システムを示す。
【図２】図２は、本発明の一実施例による移動機の構成を示す。
【図３】図３は、本発明の一実施例による無線制御装置の構成を示す。
【図４】図４は、本発明の一実施例による移動通信システムの各構成要素間のやりとりを示すシーケンス図である。
【発明を実施するための形態】
【００１４】
以下、図面に基づいて本発明の実施の形態を説明する。
【００１５】
図１を参照して、本発明の一実施例による移動通信システムを説明する。図１は、本発明の一実施例による移動通信システムを示す。図示されるように、移動通信システム１００は、ＵＴＲＡ（ＵＭＴＳ  Ｔｅｒｒｅｓｔｒｉａｌ  Ｒａｄｉｏ  Ａｃｃｅｓｓ）システム２００と、ＥＵＴＲＡ（Ｅｖｏｌｖｅｄ  ＵＴＲＡ）システム３００と、移動局（ＵＥ）４００とを有する。移動通信システム１００において、移動局４００は、ＵＴＲＡシステム２００とＥＵＴＲＡシステム３００の双方と無線通信することができる。また、ＵＴＲＡシステム２００とＥＵＴＲＡシステム３００とは、通信可能に相互接続される。図示された実施例では、１つの移動局４００しか示されていないが、典型的には、移動通信システム１００は複数の移動局４００を含む。また、本実施例は、ＵＴＲＡシステム２００とＥＵＴＲＡシステム３００との２つの特定の無線アクセス技術（ＲＡＴ）を利用したシステムについて説明されるが、本発明は必ずしもこれに限定されるものでなく、他の何れか適切な無線アクセス技術を用いたシステムについて適用されてもよい。
【００１６】
ＵＴＲＡシステム２００は、移動機４００と無線接続される１以上の基地局（ＮｏｄｅＢ）２１０，２２０と、基地局２１０，２２０と接続される無線制御装置（ＲＮＣ）２３０とを有する。ＵＴＲＡシステム２００は、無線アクセス技術の１つであるＵＴＲＡに準拠したネットワークを構成する。基地局（ＮｏｄｅＢ）２１０，２２０はそれぞれ、アンテナと制御装置などから構成され、移動局４００との間で無線信号を送受信する。各基地局は、セルと呼ばれる一定の通信エリアを提供し、セル内の移動局４００との間で無線信号を送受信する。図１では２つの基地局２１０，２２０しか示されていないが、移動通信システム１００の通信エリア全体がカバーされるように、複数の基地局が適切に配置される。無線制御装置２３０は、複数の基地局２１０，２２０に接続され、基地局２１０，２２０を制御する。典型的には、ＵＴＲＡシステム２００は、回線交換（ＣＳ）方式により音声通信サービスを提供し、パケット（ＰＳ）交換方式によりデータ通信サービスを提供する。
【００１７】
ＥＵＴＲＡシステム３００は、移動機４００と無線接続される１以上の基地局（ｅＮｏｄｅＢ）３１０を有する。ＥＵＴＲＡシステム３００は、無線アクセス技術の１つのであるＥＵＴＲＡに準拠したネットワークを構成する。基地局（ｅＮｏｄｅＢ）３１０は、典型的には、上述したＵＴＲＡシステム２００の基地局と無線制御装置との双方の機能を備え、移動機４００と無線通信する。典型的には、ＥＵＴＲＡシステム３００は、パケット交換方式によりデータ通信サービスと音声通信サービスとを提供する。ＥＵＴＲＡシステム３００は、所定のイベントの発生などに応答して、基地局３１０と無線接続する移動局４００にＵＴＲＡシステム２００にリダイレクトするよう指示する。このリダイレクト処理として、例えば、ＣＳフォールバックがある。ＣＳフォールバックは、移動局４００が何らかの理由によりＥＵＴＲＡシステム３００を介し音声通信ができない場合、移動局４００にＵＴＲＡシステム２００に接続切り替えさせ、ＵＴＲＡシステム２００を介し音声通信を実行させるための処理である。しかしながら、本発明はこれに限定されるものでなく、データ通信を含む任意の通信形態におけるＥＵＴＲＡシステム３００からＵＴＲＡシステム２００へのシステム間の切り替え（リダイレクト）処理に適用可能である。また、本実施例では、システム間のリダイレクト処理が、ＵＴＲＡシステム２００とＥＵＴＲＡシステム３００との２つの特定の無線アクセス技術（ＲＡＴ）を利用したシステムの間のリダイレクト処理として説明されるが、本発明は必ずしもこれに限定されるものでなく、他の何れか適切な無線アクセス技術を用いたシステム間のリダイレクト処理について適用されてもよい。
【００１８】
また、ＵＴＲＡシステム２００とＥＵＴＲＡシステム３００とは、相互に通信接続され、各自の報知情報などの情報を互いにやりとりする。例えば、このようにしてＵＴＲＡシステム２００の報知情報を取得したＥＵＴＲＡシステム３００は、取得したＵＴＲＡシステム２００の報知情報をＥＵＴＲＡシステム３００に接続している移動局４００に提供することも可能である。ＥＵＴＲＡシステム３００は、取得したすべての報知情報を移動局４００に提供することも可能であるが、すべての報知情報を移動局４００に送信及び格納するには、多くのリソースを消費することになる。このため、ＥＵＴＲＡシステム３００は、取得した報知情報の一部を抽出し、これをパッケージ化して移動局４００に提供するようにしてもよい。また、ＵＴＲＡシステム２００もＥＵＴＲＡシステム３００の報知情報を取得し、移動局４００に提供している。
【００１９】
移動局４００は、ＵＴＲＡシステム２００とＥＵＴＲＡシステム３００の双方と無線通信可能に構成される。すなわち、移動局４００は、ＵＴＲＡシステム２００とＥＵＴＲＡシステム３００との双方と無線通信するための機能及び構成とを備える。
【００２０】
次に、図２を参照して、本発明の一実施例による移動機を詳細に説明する。図２は、本発明の一実施例による移動機の構成を示す。本実施例による移動局は、上述したように、ＵＴＲＡシステム２００とＥＵＴＲＡシステム３００の双方と通信可能である。なお、本発明を不明りょうにすることを回避するため、移動局４００におけるアンテナ、変調／復調手段、符号化／復号化手段などの周知の構成要素については適宜省略した。
【００２１】
図示されるように、移動機４００は、メッセージ受信部４１０と、受信メッセージ判定部４２０と、無線状態測定部４２５と、システム情報コンテナ保持部４３０と、リダイレクション判定部４４０と、プリ・リダイレクション情報設定部４５０と、送信メッセージ構成部４６０と、メッセージ送信部４７０とを有する。
【００２２】
メッセージ受信部４１０は、ＵＴＲＡシステム２００やＥＵＴＲＡシステム３００などから送信された各種メッセージ及び信号を受信する。その後、メッセージ受信部４１０は、受信したメッセージ及び信号に対して復調及び復号化などの適切な処理を実行し、受信メッセージ判定部４２０に提供する。
【００２３】
受信メッセージ判定部４２０は、メッセージ受信部４１０から提供されたメッセージの内容を判断する。
【００２４】
一実施例では、受信メッセージ判定部４２０は、現在通信中のシステムから受信したメッセージが、当該システム以外の他のシステムに関する情報を含むか判断する。典型的には、ＥＵＴＲＡシステム３００は、自らの報知情報を送信するだけでなく、上述したように、相互接続されているＵＴＲＡシステム２００から取得したＵＴＲＡシステム２００の報知情報を移動局４００に送信している。従って、受信メッセージ判定部４２０は、このようなＵＴＲＡ側報知情報が、ＥＵＴＲＡシステム３００から受信したメッセージに含まれているか判断する。ＵＴＲＡ側報知情報がＥＵＴＲＡシステム３００から受信したメッセージに含まれている場合、受信メッセージ判定部４２０は、このＵＴＲＡ側報知情報をシステム情報コンテナ保持部４３０に格納する。
【００２５】
また他の実施例では、受信メッセージ判定部４２０は、受信したメッセージがＥＵＴＲＡシステム３００から送信されたリダイレクト指示を含むか判断する。受信したメッセージがリダイレクト指示を含む場合、受信メッセージ判定部４２０は、ＥＵＴＲＡシステム３００からリダイレクトするよう指示されたことをリダイレクション判定部４４０に通知する。
【００２６】
また、受信メッセージ判定部４２０は、無線接続に関する各種メッセージ（ＲＲＣ  ＣＯＮＮＥＣＴＩＯＮ  ＲＥＬＥＡＳＥ，ＲＲＣ  ＣＯＮＮＥＣＴＩＯＮ  ＳＥＴＵＰなど）がネットワーク側から送信されると、対応する適切な応答メッセージを送信するため、送信メッセージ構成部４６０に受信したメッセージを提供する。
【００２７】
さらに、Ｍｅａｓｕｒｅｍｅｎｔ  Ｃｏｎｔｒｏｌメッセージなどの制御メッセージがネットワーク側から送信されると、受信メッセージ判定部４２０は、制御メッセージに対応した処理を適切な移動局４００の構成要素に実行させる。例えば、Ｍｅａｓｕｒｅｍｅｎｔ  Ｃｏｎｔｒｏｌメッセージが送信された場合、受信メッセージ判定部４２０は、移動局４００の無線状態測定部４２５に近隣セルの無線状態を測定し、測定結果を報告するよう指示する。
【００２８】
無線状態測定部４２５は、受信メッセージ判定部４２０から近隣セルの無線状態を測定するよう指示されると、接続中のネットワークにおける移動局４００の近隣セルの無線状態を測定し、測定結果をネットワークに報告する。この測定結果は、システム情報コンテナ保持部４３０に提供される。近隣セルの無線状態は、近隣セルから送信されるリファレンス信号の受信レベルや受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）などにより表されてもよい。
【００２９】
システム情報コンテナ保持部４３０は、受信メッセージ判定部４２０から提供されたＵＴＲＡ側報知情報などの各種システム情報を格納する。さらに、システム情報コンテナ保持部４３０は、ＵＴＲＡ側報知情報を受信及び格納した場合、ＵＴＲＡ側報知情報を格納したことをプリ・リダイレクション情報設定部４５０に通知する。また、システム情報コンテナ保持部４３０は、プリ・リダイレクション情報設定部４５０などの他の構成要素からのアクセス要求に応答して、格納しているシステム情報を提供する。さらに、移動局４００が近隣セルの無線状態を測定した場合、システム情報コンテナ保持部４３０は、この測定結果に従って格納しているシステム情報を更新する。
【００３０】
リダイレクション判定部４４０は、リダイレクト指示を受信したことを受信メッセージ判定部４２０から通知されると、リダイレクト指示の内容を確認し、適切なリダイレクト処理を起動すると共に、プリ・リダイレクション情報設定部４５０にリダイレクト指示を受信したことを通知する。例えば、受信したリダイレクト指示がＥＵＴＲＡシステム３００からＵＴＲＡシステム２００へのＣＳフォールバックである場合、リダイレクション判定部４４０は、所定の手順に従って、ＥＵＴＲＡシステム３００との無線接続を切断し、ＵＴＲＡシステム２００への無線接続を要求する。
【００３１】
プリ・リダイレクション情報設定部４５０は、ＵＴＲＡ側報知情報を格納したことをシステム情報コンテナ保持部４３０から通知されると、無線接続要求に含まれる情報要素であるプリ・リダイレクション情報（ｐｒｅ−ｒｅｄｉｒｅｃｔｉｏｎ  ｉｎｆｏ）の値をＦａｌｓｅに設定する。
【００３２】
また、プリ・リダイレクション情報設定部４５０は、リダイレクト指示を受信したことをリダイレクション判定部４４０から通知されると、リダイレクト先のシステムに送信される無線接続要求に含まれる情報要素であるプリ・リダイレクション情報（ｐｒｅ−ｒｅｄｉｒｅｃｔｉｏｎ  ｉｎｆｏ）の値をＦａｌｓｅに設定する。
【００３３】
このプリ・リダイレクション情報は、従来からＵＴＲＡ規格において使用されている既存の情報要素である。上述したように、ＵＴＲＡシステム２００は、相互接続されているＥＵＴＲＡシステム３００から取得したＥＵＴＲＡシステム３００に関する情報を移動局４００に通知している。移動局４００は、この受信したＥＵＴＲＡシステム３００に関する情報に基づき、ＥＵＴＲＡシステム３００が要求する通信能力を自らが備えているか判断し、備えている場合には、プリ・リダイレクション情報の値をＴｒｕｅに設定する。備えていない場合には、移動局４００は、プリ・リダイレクション情報を送信しないよう規定されている。すなわち、プリ・リダイレクション情報の値がＦａｌｓｅに設定されているケースに関する意味付けは、現状は規定されていない。本発明では、このプリ・リダイレクション情報がＦａｌｓｅに設定されたケースを意味付けした。すなわち、移動局４００がＵＴＲＡ側報知情報を有している場合、及び／又はＥＵＴＲＡシステム３００からリダイレクト指示を受信している場合、プリ・リダイレクション情報の値をＦａｌｓｅに設定する。
【００３４】
送信メッセージ構成部４６０は、移動局４００から送信する各種メッセージを生成する。移動局４００の電源オンやユーザからの通信開始指示などの所定のイベントによって、移動局４００は、ＵＴＲＡシステム２００やＥＵＴＲＡシステム３００との無線通信を開始する。具体的には、接続先のネットワークに対応した無線通信接続手順に従って、送信メッセージ構成部４６０は、各種メッセージを生成し、メッセージ送信部４７０に生成したメッセージを送信させる。
【００３５】
一実施例では、移動局４００がＵＴＲＡシステム３００と無線通信しようとするとき、送信メッセージ構成部４６０は、まず無線接続要求メッセージ（ＲＲＣ  ＣＯＮＮＥＣＴＩＯＮ  ＲＥＱＵＥＳＴ）を生成し、メッセージ送信部４７０に生成したメッセージをＵＴＲＡシステム２００に送信させる。この無線接続要求メッセージを生成する際、送信メッセージ構成部４６０は、プリ・リダイレクション設定部４５０にアクセスし、無線接続要求メッセージの情報要素であるプリ・リダイレクション情報（ｐｒｅ−ｒｅｄｉｒｅｃｔｉｏｎ  ｉｎｆｏ）の値を確認する。プリ・リダイレクション情報の値がＦａｌｓｅである場合、送信メッセージ構成部４６０は、無線接続要求メッセージの情報要素プリ・リダイレクション情報の値をＦａｌｓｅに設定して、無線接続要求メッセージを構成する。
【００３６】
メッセージ送信部４７０は、送信メッセージ構成部４６０から提供されたメッセージを送信先システムに送信する。メッセージ送信部４７０は、提供されたメッセージを送信するため、符号化や変調などの適切な処理を実行し、送信先システムに送信する。
【００３７】
なお、上述した実施例では、移動局４００がＥＵＴＲＡシステム３００からリダイレクトされて、ＵＴＲＡシステム２００に無線接続するケースについて説明したが、これは単なる一例にすぎない。すなわち、本発明では、異なるＲＡＴを使用するシステム間のリダイレクトに適用可能である。
【００３８】
次に、図３を参照して、本発明の一実施例によるＵＴＲＡシステムの無線制御装置を詳細に説明する。図３は、本発明の一実施例による無線制御装置の構成を示す。
【００３９】
図示されるように、ＵＴＲＡシステム２００の無線制御装置（ＲＮＣ）２３０は、メッセージ受信部２４０と、プリ・リダイレクション情報判定部２５０と、無線制御判定部２６０と、送信メッセージ構成部２７０と、メッセージ送信部２８０とを有する。
【００４０】
メッセージ受信部２４０は、移動局４００から各種メッセージ及び信号を受信し、復調及び復号化などの適切な処理を実行した後、受信したメッセージをプリ・リダイレクション情報判定部２５０に提供する。
【００４１】
プリ・リダイレクション情報判定部２５０は、メッセージ受信部２４０から提供されたメッセージが移動局４００からの無線接続要求メッセージ（ＲＲＣ  ＣＯＮＮＥＣＴＩＯＮ  ＲＥＱＵＥＳＴ）であるか判断し、無線接続要求メッセージである場合、当該メッセージの情報要素プリ・リダイレクション情報（ｐｒｅ−ｒｅｄｉｒｅｃｔｉｏｎ  ｉｎｆｏ）の値を確認する。プリ・リダイレクション情報の値がＦａｌｓｅである場合、すなわち、移動局４００がＵＴＲＡ側報知情報を有している、及び／又は移動局４００がＥＵＴＲＡシステム３００からリダイレクト指示を受けている場合、プリ・リダイレクション情報判定部２５０は、それを無線制御判定部２６０に通知すると共に、受信した無線接続要求メッセージを無線制御判定部２６０に提供する。なお、その他のケースでは、プリ・リダイレクション情報判定部２５０は、メッセージ受信部２４０から提供されたメッセージを単に無線制御判定部２６０に転送する。
【００４２】
無線制御判定部２６０は、プリ・リダイレクション情報判定部２５０から提供されたメッセージに従って、メッセージに対応する無線制御を実行し、メッセージに対応する応答メッセージを送信メッセージ構成部２７０に生成させる。
【００４３】
典型的には、無線制御装置２３０は、移動局４００からの無線接続要求メッセージ（ＲＲＣ  ＣＯＮＮＥＣＴＩＯＮ  ＲＥＱＵＥＳＴ）を受信した場合、移動局４００との無線接続の確立を試みる。しかしながら、何らかの理由により移動局４００との接続が確立できない場合には、無線制御装置２３０は、無線接続拒否メッセージ（ＲＲＣ  ＣＯＮＮＥＣＴＩＯＮ  ＲＥＪＥＣＴ）を移動局４００に送信し、移動局４００にＥＵＴＲＡシステム３００などの他のシステムにリダイレクトするよう指示する可能性がある。この場合、移動局４００がＥＵＴＲＡ３００からすでにＵＴＲＡ２００へのリダイレクトを指示され、このリダイレクト指示に従ってＵＴＲＡシステム２００に無線接続を要求していた場合には、移動局４００が再度ＥＵＴＲＡシステム３００に無線接続を要求することは不都合である。
【００４４】
本実施例では、無線制御判定部２６０が、プリ・リダイレクション情報判定部２５０から通知された無線接続要求メッセージの情報要素プリ・リダイレクション情報（ｐｒｅ−ｒｅｄｉｒｅｃｔｉｏｎ  ｉｎｆｏ）の値に基づき、無線接続拒否メッセージ（ＲＲＣ  ＣＯＮＮＥＣＴＩＯＮ  ＲＥＪＥＣＴ）を移動局４００に送信するか否か判断する（Ｒｅｊｅｃｔ判定）。具体的には、プリ・リダイレクション情報の値がＦａｌｓｅに設定されている場合、すなわち、移動局４００がＵＴＲＡ側報知情報を有している、及び／又は移動局４００がＥＵＴＲＡシステム３００からリダイレクト指示を受けている場合、無線制御判定部２６０は、移動局４００にＥＵＴＲＡシステム３００にリダイレクトすることを指示することなく、移動局４００に無線接続拒否メッセージを送信する。この場合、無線制御装置２３０は、再度移動局４００との無線接続の確立を試みてもよいし、あるいは、単に無線接続拒否メッセージを移動局４００に送信し、無線接続を拒否してもよい。もしくは、無線接続局メッセージを移動局４００に送信しなくてもよい。
【００４５】
なお、上述したプリ・リダイレクション情報の値の設定によると、移動局４００がＵＴＲＡ側報知情報を有している、及び／又は移動局４００がＥＵＴＲＡシステム３００からリダイレクト指示を受けている場合にプリ・リダイレクション情報の値がＦａｌｓｅに設定される。すなわち、移動局４００がＵＴＲＡ側報知情報を有していなくても、移動局４００がＥＵＴＲＡシステム３００からリダイレクト指示を受けた場合もプリ・リダイレクション情報の値がＦａｌｓｅに設定される。この場合、移動局４００がＵＴＲＡ側報知情報を有していなくても、無線制御装置２３０は、移動局３００がＵＴＲＡ側報知情報を有していると判断して動作するが、再度のリダイレクトは適切に抑止される。
【００４６】
他方、無線制御装置２３０が移動局４００との無線接続を確立可能である場合、無線制御判定部２６０は、プリ・リダイレクション情報の値がＦａｌｓｅに設定されていることを考慮して、移動局４００との接続モードを共通チャネルしか割り当てられていない接続モードであるＣｅｌｌ＿ＦＡＣＨでなく、個別チャネルが割り当てられた接続モードであるＣｅｌｌ＿ＤＣＨに設定して、無線接続要求メッセージに対する応答メッセージ（ＲＲＣ  ＣＯＮＮＥＣＴＩＯＮ  ＳＥＴＵＰ）を移動局４００に送信する（ＦＡＣＨ遷移判定）。これにより、移動局４００は、当初から個別チャネルが割り当てられた接続モードであるＣｅｌｌ＿ＤＣＨモードによりＵＴＲＡシステム２００と通信することが可能となる。
【００４７】
ここで、上述の説明から理解されるように、移動局４００からの無線接続要求メッセージのプリ・リダイレクション情報がＦａｌｓｅに設定されている場合、移動局４００は、ＵＴＲＡ側報知情報を有している可能性がある。しかしながら、このＵＴＲＡ側報知情報は、必ずしもＵＴＲＡシステム２００が所望する近隣セル情報を含んでいない可能性がある。すなわち、上述したように、ＥＵＴＲＡシステム３００は、ＵＴＲＡシステム２００から取得したＵＴＲＡ側報知情報のすべてを移動局４００に通知しているとは限らず、しばしばその一部のみをパッケージ化したシステム情報コンテナしか通知していない。このため、移動局４００がＵＴＲＡシステム２００と無線接続を確立したとしても、このような不完全なＵＴＲＡ側報知情報を利用せざるを得ず、良好な無線接続を維持することができないおそれもある。従って、無線制御装置２３０は、移動局４００に近隣セル（ＮＣＬ）等のＵＴＲＡ側報知情報を更新させるようにしてもよい。
【００４８】
このため、無線制御判定部２６０は、プリ・リダイレクション情報判定部２５０から通知された無線接続要求メッセージの情報要素プリ・リダイレクション情報（ｐｒｅ−ｒｅｄｉｒｅｃｔｉｏｎ  ｉｎｆｏ）の値に基づき、無線接続確立後に、移動局４００の近隣セルの無線状態を測定させ、移動局４００が保持するＵＴＲＡ側報知情報を更新させるように、測定要求メッセージ（Ｍｅａｓｕｒｅｍｅｎｔ  Ｃｏｎｔｒｏｌ）を移動局４００に送信するか否か判断する（ＮＣＬ更新判定）。すなわち、無線制御判定部２６０は、移動局４００からの無線接続要求メッセージのプリ・リダイレクション情報がＦａｌｓｅに設定されている場合、送信メッセージ構成部２７０に測定要求メッセージを生成させ、移動局４００に送信させる。
【００４９】
なお、上述した実施例では、説明の便宜上、無線制御判定部２６０は、Ｒｅｊｅｃｔ判定、ＦＡＣＨ遷移判定及びＮＣＬ更新判定のすべてを実行しているが、本発明はこれに限定されるものでない。すなわち、無線制御判定部２６０は、Ｒｅｊｅｃｔ判定、ＦＡＣＨ遷移判定及びＮＣＬ更新判定のうちの少なくとも１つを実行するようにしてもよい。例えば、無線制御判定部２６０がＲｅｊｅｃｔ判定のみを実行する場合、ＦＡＣＨ遷移判定及びＮＣＬ更新判定は実行しなくてもよい。この場合、無線接続が確立可能であるとき、無線制御判定部２６０は、プリ・リダイレクション情報の値を参照することなく、所定の無線接続確立手順により移動局４００と無線接続を確立する。
【００５０】
送信メッセージ構成部２７０は、無線制御装置２３０から送信する各種メッセージを生成する。具体的には、送信メッセージ構成部２７０は、所定の無線通信接続手順に従って、無線制御判定部２６０からの指示に基づき各種メッセージを生成し、メッセージ送信部２８０に生成したメッセージを送信させる。
【００５１】
メッセージ送信部２８０は、送信メッセージ構成部２７０から提供されたメッセージを移動局４００に送信する。メッセージ送信部２８０は、提供されたメッセージを送信するため、符号化や変調などの適切な処理を実行し、移動局４００に送信する。
【００５２】
なお、上述した実施例では、移動局４００がＥＵＴＲＡシステム３００からリダイレクトされて、ＵＴＲＡシステム２００に無線接続するケースについて説明したが、これは単なる一例にすぎない。すなわち、本発明では、異なるＲＡＴを使用するシステム間のリダイレクトに適用可能である。
【００５３】
次に、図４を参照して、本発明の一実施例による移動通信システムにおけるリダイレクト処理を説明する。図４は、本発明の一実施例による移動通信システムの各構成要素間のやりとりを示すシーケンス図である。
【００５４】
本実施例では、ＥＵＴＲＡシステム３００と通信していた移動局４００が、所定のイベントの発生などの何れかの理由によりＥＵＴＲＡシステム３００からＵＴＲＡシステム２００にリダイレクトするための移動通信システム１００における一例となるリダイレクト処理を説明する。
【００５５】
図示されるように、ステップＳ１０１において、ＥＵＴＲＡシステム３００の基地局（ｅＮＢ）３１０は、移動局（ＵＥ）４００との通信を終了し、移動局４００をＵＴＲＡシステム２００にリダイレクトさせるため、無線接続解放メッセージ（ＲＲＣ  ＣＯＮＮＥＣＴＩＯＮ  ＲＥＬＥＡＳＥ）を送信する。さらに、ＥＵＴＲＡシステム３００は、ＵＴＲＡ側報知情報をパッケージ化したシステム情報コンテナ（ＳＹＳＥＭ  ＩＮＦＯＲＭＡＴＩＯＮ  ＣＯＮＴＡＩＮＥＲ）を移動局４００に送信する。移動局４００は、受信したシステム情報コンテナを格納する。なお、ＵＴＲＡ側報知情報は、図示されるように無線接続解放メッセージと共に送信されてもよいし、あるいは、ＥＵＴＲＡシステム３００との通信中の何れかの時点で送信されてもよい。
【００５６】
ステップＳ１０２において、移動局４００は、ＵＴＲＡシステム２００との無線接続を確立するため、無線接続要求メッセージ（ＲＲＣ  ＣＯＮＮＥＣＴＩＯＮ  ＲＥＱＵＥＳＴ）をＵＴＲＡシステム２００に送信する。このとき、移動局４００は、当該メッセージに含まれる情報要素であるプリ・リダイレクション情報（ｐｒｅ−ｒｅｄｉｒｅｃｔｉｏｎ  ｉｎｆｏ）をＦａｌｓｅに設定して、無線接続要求メッセージをＵＴＲＡシステム２００に送信する。ＵＴＲＡシステム２００の無線制御装置（ＲＮＣ）２３０は、移動局４００から無線接続要求メッセージを受信すると、受信した無線接続要求メッセージのプリ・リダイレクション情報の値を確認する。プリ・リダイレクション情報の値がＦａｌｓｅに設定されている場合、無線制御装置２３０は、移動局４００がＥＵＴＲＡシステム３００からリダイレクトしてきた、及び／又はＵＴＲＡ側報知情報を保持していると判断する。
【００５７】
ステップＳ１０３において、無線制御装置２３０は、移動局４００との接続モードを個別チャネルを割り当てる接続モード（Ｃｅｌｌ＿ＤＣＨ）に設定して、移動局４００からの無線接続要求に対する応答メッセージ（ＲＲＣ  ＣＯＮＮＥＣＴＩＯＮ  ＳＥＴＵＰ）を移動局４００に送信する。
【００５８】
ステップＳ１０４において、移動局４００は、受信したメッセージに対する応答メッセージ（ＲＲＣ  ＣＯＮＮＥＣＴＩＯＮ  ＳＥＴＵＰ  ＣＯＭＰＬＥＴＥ）をＵＴＲＡシステム２００に送信し、移動局４００とＵＴＲＡシステム２００との間の無線通信が確立する。
【００５９】
ステップＳ１０５において、無線制御装置２３０は、ＵＴＲＡシステム２００における移動局４００の近隣セルの無線状態を測定させ、無線制御装置２３０に測定結果を報告させるため、測定要求信号（Ｍｅａｓｕｒｅｍｅｎｔ  Ｃｏｎｔｒｏｌ）を送信する。この測定要求信号に基づき、移動局４００は、ＥＵＴＲＡシステム３００から取得及び格納したＵＴＲＡ側報知情報を更新する。
【００６０】
なお、上述した実施例では、説明の便宜上、無線制御装置２３０は、Ｒｅｊｅｃｔ判定、ＦＡＣＨ遷移判定及びＮＣＬ更新判定のすべてを実行しているが、本発明はこれに限定されるものでない。すなわち、無線制御装置２３０は、Ｒｅｊｅｃｔ判定、ＦＡＣＨ遷移判定及びＮＣＬ更新判定のうちの少なくとも１つを実行するようにしてもよい。例えば、無線制御装置２３０がＲｅｊｅｃｔ判定のみを実行する場合、ＦＡＣＨ遷移判定及びＮＣＬ更新判定は実行しなくてもよい。この場合、無線接続が確立可能であるとき、無線制御装置２３０は、プリ・リダイレクション情報の値を参照することなく、所定の無線接続確立手順により移動局４００と無線接続を確立する。
【００６１】
以上、本発明の実施例について詳述したが、本発明は上述した特定の実施例に限定されるものではなく、特許請求の範囲に記載された本発明の要旨の範囲内において、種々の変形・変更が可能である。
【符号の説明】
【００６２】
１００  移動通信システム
２００  ＵＴＲＡシステム
２３０  無線制御装置
３００  ＥＵＴＲＡシステム
４００  移動局
【図１】
2011238988.tif 000003
【図２】
2011238988.tif 000004
【図３】
2011238988.tif 000005
【図４】
2011238988.tif 000006